(57)【要約】【課題】塩タイルをタイル基板に確実に固定させることができる塩タイル保持具を提供する。【解決手段】精製塩又は天然塩の溶融成形物からなる多角形厚板状の塩タイル６をタイル基板５に貼り付けるにあたり、塩タイル６を保持した状態でタイル基板５に接着剤によって接着固定するようにした塩タイル保持具２０であって、塩タイル６の片面６ｂ側に当接するように配置される本体板部２１，４１と、本体板部２１，４１の周辺から塩タイル６の各端面６ｃに係止するように本体板部２１，４１の裏面２１ａ，４１ａに対する角度θが直角よりも小さくなるように突設された係止爪２２，４２とがプラスチックで一体に形成されている。【選択図】図５
2010007383.tif 000002
【特許請求の範囲】
【請求項１】
精製塩又は天然塩の溶融成形物からなる多角形厚板状の塩タイルをタイル基板に貼り付けるにあたり、塩タイルを保持した状態でタイル基板に接着剤によって接着固定するようにした塩タイル保持具であって、
塩タイルの片面側に当接するように配置される本体板部と、本体板部の周辺から塩タイルの各端面に係止するように本体板部の裏面に対する角度が直角よりも小さくなるように突設された係止爪とがプラスチックで一体に形成されてなる塩タイル保持具。
【請求項２】
塩タイルの多角形が四角形や六角形等の偶数形の場合に、本体板部周辺から塩タイルの各端面に係止するように突設される係止爪は、周方向に隣り合う塩タイルの端面の一方の端面には一対の係止爪片が係止され、他方の端面には前記一対の係止爪片間に挿入可能な一つの係止爪片２２が係止されるようになっている請求項１に記載の塩タイル保持具。
【請求項３】
本体板部２１の裏面には、塩タイルの対向面が凹面状をなしている場合に、その凹面部に突入係合する円板状の凸片が設けられている請求項又は２に記載の塩タイル保持具。
【発明の詳細な説明】
【技術分野】
【０００１】
本発明は、精製塩又は天然塩の溶融成形物からなる多角形厚板状の塩タイルをタイル基板に貼り付けるのに使用される塩タイル保持具に関する。
【背景技術】
【０００２】
温浴を利用するリラクゼーション施設として、サウナ、岩盤浴、温泉等が利用されているが、近年、塩のもつ遠赤外線効果や殺菌効果等に着目して、砂利状の岩塩を床に敷き詰めたり、塊状岩塩を積み上げて壁体を形成することが行われている。そして、本発明者は先に、塩サウナ等の内装材用として、精製塩や天然塩を加熱溶融して形成型内で冷却固化させた塩製パネル（塩タイル）を提案している（特許文献１）。
【０００３】
上記特許文献１の塩製パネル、即ち塩タイルは、基礎構造体である側壁、床壁及び天井壁に対しコンクリート釘や接着剤によって直接に固定されるようになっている。
【特許文献１】特開２００７−９２５１４号公報
【発明の開示】
【発明が解決しようとする課題】
【０００４】
塩タイルを基礎構造体である側壁や床壁や天井壁の金属製タイル基板に貼り付けるにあたり、上記従来の塩タイルのように釘や接着剤を使用すると、釘の場合は塩タイルが割れ易く、また接着剤の場合、接着剤は金属製タイル基板に対しては強い結合力を有するが、金属製タイル基板とは異質の塩タイルに対しては結合力が弱く、外れ易いという難点があった。
【０００５】
本発明は、上記の事情に鑑み、塩タイルをタイル基板に確実に固定させることができる塩タイル保持具を提供することを目的としている。
【課題を解決するための手段】
【０００６】
上記課題を解決するための手段を、後述する実施形態の参照符号を付して説明すると、請求項１に係る発明は、精製塩又は天然塩の溶融成形物からなる多角形厚板状の塩タイル６をタイル基板５に貼り付けるにあたり、塩タイル６を保持した状態でタイル基板５に接着剤によって接着固定するようにした塩タイル保持具２０，４０であって、
塩タイル６の片面６ｂ側に当接するように配置される本体板部２１，４１と、本体板部２１，４１の周辺から塩タイル６の各端面６ｃに係止するように本体板部２１，４１の裏面２１ａ，４１ａに対する角度θが直角よりも小さくなるように突設された係止爪２２，４２とがプラスチックで一体に形成されてなることを特徴とする。
【０００７】
請求項２は、請求項１に記載の塩タイル保持具において、塩タイルの多角形が四角形や六角形等の偶数形の場合に、本体板部２１周辺から塩タイル６の各端面６ｃに係止するように突設される係止爪２２は、周方向に隣り合う塩タイル６の端面６ｃ，６ｃの一方の端面６ｃには一対の係止爪片２２，２２が係止され、他方の端面６ｃには前記一対の係止爪片２２，２２間に挿入可能な一つの係止爪片２２が係止されるようになっていることを特徴とする。
【０００８】
請求項３は、請求項又は２に記載の塩タイル保持具において、本体板部２１の裏面には、塩タイル６の対向面が凹面状をなしている場合に、その凹面部に突入係合する円板状の凸片３０が設けられていることを特徴とする。
【発明の効果】
【０００９】
上記解決手段による発明の効果を、後述する実施形態の参照符号を付して説明すると、請求項１に係る発明によれば、塩タイル保持具２０，４０は、プラスチックによって一体に形成されたもので、塩タイル６の片面６ｂ側に当接するように配置される本体板部２１，４１と、本体板部２１，４１の周辺から塩タイル６の各端面６ｃに係止するように突設された複数の係止爪２２，４２とからなるため、塩タイル６を簡単容易に保持できると共に、接着剤１０を介して本体板部２１，４１をタイル基板５に接着することにより塩タイル６をタイル基板５に確実に固定させることができ、しかも各係止爪２２，４２は本体板部２１，４１の裏面２１ａ，４１ａに対する角度θが直角よりも小さくなるように本体板部２１，４１から突設されているため、塩タイル６を保持した時に係止爪２２，４２が若干外側へ弾性変形により広がる状態となり、その弾接力により複数の係止爪２２，４２が塩タイル６の端面６ｃに確実に係止して、塩タイル６を確実に保持することができる。
【００１０】
請求項２に係る発明によれば、塩タイル６の多角形が四角形や六角形等の偶数形の場合には、本体板部２１周辺から塩タイル６の各端面６ｃに係止するように突設される係止爪２２は、周方向に隣り合う塩タイル６の端面６ｃ，６ｃの一方の端面６ｃには一対の係止爪片２２，２２が係止され、他方の端面６ｃには前記一対の係止爪片２２，２２間に挿入可能な一つの係止爪片２２が係止されるようになっているから、四角形や六角形の塩タイル６を保持した塩タイル保持具２０が互いに隣り合うようにタイル基板５に取り付けられる時に、隣り合う一方の塩タイル保持具２０の係止爪２２と、他方の塩タイル保持具２０の係止爪２２とが重なることがなく、塩タイル６の目地部９が不必要に広くならず、的確な塩タイル６の貼り付けが行える。
【００１１】
請求項３に係る発明によれば、本体板部２１の裏面には、塩タイル６の対向面が凹面状をなしている場合にその凹面部に突入係合する円板状の凸片３０が設けられているから、塩タイル６を安定良く保持させることができる。
【発明を実施するための最良の形態】
【００１２】
以下に本発明の好適な実施形態を図面に基づいて説明すると、図１は塩タイル壁構造を有するリラクゼーションルームの縦断面図、図２は床塩タイル壁構造体の一部の拡大縦断面図、図３は床塩タイル壁の一部を室内側から見た拡大平面図、図４は図３のＸ−Ｘ線拡大断面図、図５の(a) は表面を下側に向け、背面を上側に向けた状態の塩タイルの拡大斜視図、(b) は本発明に係る塩タイル保持具の斜視図、(c) は塩タイル保持具が塩タイルを保持した状態の斜視図である。図１に示すリラクゼーションルーム１は、鉄筋コンクリート建物の中に設置されたもので、ルーム本体Ａと、これを覆うように設けられたルーム外殻体Ｂとからなる。
【００１３】
ルーム本体Ａは、床塩タイル壁構造体ａ１と、天井塩タイル壁構造体ａ２と、前後左右の側壁塩タイル壁構造体ａ３…とからなり、ルーム外殻体Ｂは、前後左右の側壁ｂ１…と天井材ｂ２とからなる。
【００１４】
床塩タイル壁構造体ａ１では、図２に示すように、取付基枠２の上面側に、鋼製のスタッドボルト３が前後左右方向に夫々所要間隔おきに突設されると共に発光素子７…が多数個配設され、各スタッドボルト３の先端部に透明プラスチック板からなるタイル基板受け４が螺着され、各タイル基板受け４には透明プラスチック板からなるタイル基板５が当接支持されて接着剤により固定され、このタイル基板５に、精製塩の溶融成形物からなる乳白色半透明の多数の塩タイル６が取り付けられている。
【００１５】
上記床塩タイル壁構造体ａ１につき図２により更に詳しく説明すると、取付基枠２は、角型鋼管からなる多数の枠材８を縦横に格子状に枠組みして形成されたもので、スタッドボルト３の下端部が枠材８に挿通されてナット３１，３２により固定され、このスタッドボルト３の上端部に、ポリカーボネート等の透明プラスチック板からなる正方形板状のタイル基板受け４の中央部が螺着され、それにより各タイル基板受け４が取付枠１７の上面から所定高さに保持されて、取付基枠２とタイル基板受け４に支持されるタイル基板５との間に所要幅の空間部Ｓが形成される。尚、タイル基板受け４の下側には同じくポリカーボネートからなるワッシャー３３が螺着されている。
【００１６】
天井塩タイル壁構造体ａ２及び側壁塩タイル壁構造体ａ３については、上記床塩タイル壁構造体ａ１と同様な構成であるため、その説明を省略する。
【００１７】
各塩タイル６は、図４及び図５に示すように、表面６ａがムラ状の凹凸をなした正六角形の厚板状に形成されていて、周端面６ｃは、背面６ｂ側から表面６ａ側へ収束するような緩傾斜のテーパに形成され、また背面６ｂ側は、図４に示すような浅い凹面状に形成されており、しかして各塩タイル６は、透明なプラスチックからなる塩タイル保持具２０に保持された状態で、両面接着剤１０を介してタイル基板５に接着固定されている。また、塩タイル６…間の目地部９には、塩ペーストからなる目地材１１が充填されて、乾燥固化されている。図５の(a) は、塩タイル６の表面６ａが下向き、背面６ｂが上向きの状態で示されている。
【００１８】
塩タイル保持具２０は、図４及び図６に示すように、塩タイル６の片面（背面６ｂ）側に当接するように配置される本体板部２１と、この本体板部２１の周辺から塩タイル６の各端面６ｃに係止するように本体板部２１の裏面２１ａに対する角度θが直角よりも小さく且つ塩タイル６の端面６ｃの傾斜角度αより小さくなるように突設された複数の係止爪２２とからなるもので、ポリカーボネート等の透明プラスチックによって一体に形成されている。この実施形態において、、塩タイル保持具２０の係止爪２２の傾斜角度θは例えば８０°、塩タイル６の周端面６ｃの傾斜角度αは例えば８５°とされる。
【００１９】
また図４及び図５に示すように、この塩タイル保持具２０の本体板部２１の裏面には、塩タイル６の背面６ｂの凹面部に突入係合する透明プラスチック製の円板状凸片３０が取り付けられている。塩タイル保持具２０に塩タイル６を保持させる際に、本体板部２１裏面の円板状凸片３０を塩タイル６の背面６ｂの凹面部に突入係合させることにより、塩タイル６を安定良く保持させることができる。
【００２０】
しかして、上記塩タイル保持具２０に塩タイル６を保持させるには、図６に示すような状態から、塩タイル保持具２０を塩タイル６に対し適当に傾けて、塩タイル保持具２０を部分的に塩タイル６に嵌め込みながら係止爪２２を適宜外側へ広げるようにすることで、塩タイル６を塩タイル保持具２０に簡単容易に保持させることができる。
【００２１】
また、本体板部２１の周辺から塩タイル６の各端面６ｃに係止するように突設される係止爪片２２は、周方向に隣り合う係止爪片２２の一方が一対の係止爪片２２，２２からなり、他方が前記一対の係止爪片２２，２２間に挿入可能な一つの係止爪片２２からなるものであり、このような構成にすれば、図７に示すように、夫々塩タイル６を保持した塩タイル保持具２０が互いに隣り合うようにタイル基板５に取り付けられる時に、隣り合う一方の塩タイル保持具２０の係止爪２２と、他方の塩タイル保持具２０の係止爪２２とが重ならないため、塩タイル６の目地部９が不必要に広くならない。この構成は、塩タイルの多角形が四角形や六角形のように偶数形の場合に適用可能である。
【００２２】
図８は、図７に示すように塩タイル壁の周辺部等で六角形の塩タイル６…間に組み込んで使用される半割塩タイル６′を保持する塩タイル保持具４０を示す。半割塩タイル６′は、図５の(a) に示される六角形塩タイル６の中心部を通る対角線に沿って真半分に切断された台形厚板状のものである。半割塩タイル６′を保持する塩タイル保持具４０は、半割塩タイル６′の片面（背面６ｂ）側に当接するように配置される本体板部４１と、この本体板部４１の周辺から半割塩タイル６′の各端面６ｃに係止するように本体板部４１の裏面４１ａに対する角度が直角よりも小さく且つ塩タイル６′の端面６ｃの傾斜角度より小さくなるように突設された複数の係止爪４２とからなるもので、ポリカーボネート等の透明プラスチックによって一体に形成されている。
【００２３】
塩タイル６の溶融成形物は、精製塩又は天然塩の微粉末を融点（８００．４℃）以上、好ましくは８１０〜８３０℃に加熱して溶融させ、この加熱溶融物を成形型内に流し込んで冷却固化させたものであり、乳白色半透明で岩塩のように硬い板体になっている。そして、この成形において、成形型の開放面側のタイル表面（使用時の背面２ｂ）が冷却固定時の収縮に伴って浅い凹面状になる一方、成形型の底面側に接するタイル表面（使用時の表面６ａには同収縮に伴ってムラ状の凹凸を生じる。尚、このムラ状の凹凸とは、不規則でなだらかな凹凸を意味する。また目地材１１に使用する塩ペーストは、精製塩又は天然塩の微粉末に水を加えて混和したものである。
【００２４】
前記発光素子７は、赤色の発光素子と緑色の発光素子と青色の発光素子との３つの発光素子を束ねて構成したもので、図３に示すように、取付基枠２を構成する枠材８上に断熱材１２を介して取り付けられた取付部材１３に配設されている。
【００２５】
また、図１に概略的に示すように、ルーム外殻体Ｂは、前後左右の側壁ｂ１…を相互に一体的に組み付けて天井材ｂ２を上から被せることにより箱状に形成したもので、天井材ｂ２は、鉄筋コンクリート建物の天井側スラブ１４から天井材吊持手段１５によって吊持されている。また、ルーム本体Ａは、床塩タイル壁構造体ａ１と天井塩タイル壁構造体ａ２と前後左右の側壁塩タイル壁構造体ａ３…とを相互に一体的に組み付けて形成したもので、天井塩タイル壁構造体ａ２の取付基枠２は、天井材吊持手段１５に付設された複数の吊り具１６…によって吊持されている。
【００２６】
以上説明したように、リラクゼーションルーム１において、精製塩又は天然塩の溶融成形物からなる六角形厚板状の塩タイル６をタイル基板５に貼り付けるにあたり、塩タイル６を保持した状態でタイル基板５に接着剤によって接着固定する塩タイル保持具２０は、ポリカーボネート等の透明プラスチックによって一体に形成されたもので、塩タイル６の片面（背面６ｂ）側に当接するように配置される本体板部２１と、この本体板部２１の周辺から塩タイル６の各端面６ｃに係止するように本体板部２１の裏面２１ａに対する角度θが直角よりも小さく且つ塩タイル６の端面６ｃの傾斜角度αより小さくなるように突設された複数の係止爪２２とからなるため、六角形厚板状の塩タイル６を簡単容易に保持できると共に、両面接着剤１０を介して本体板部２１をタイル基板５に接着することにより塩タイル６をタイル基板５に確実に固定させることができる。
【００２７】
この場合、塩タイル保持具２０の本体板部２１周辺から六角形塩タイル６の各端面６ｃに係止するように突設される係止爪２２は、周方向に隣り合う塩タイル６の端面６ｃ，６ｃの一方の端面６ｃには一対の係止爪片２２，２２が係止され、他方の端面６ｃには前記一対の係止爪片２２，２２間に挿入可能な一つの係止爪片２２が係止されるようになっているから、図７から分かるように六角形塩タイル６を保持した塩タイル保持具２０が互いに隣り合うようにタイル基板５に取り付けられる時に、隣り合う一方の塩タイル保持具２０の係止爪２２と、他方の塩タイル保持具２０の係止爪２２とが重ならないため、塩タイル６の目地部９が不必要に広くならず、的確な塩タイル６の貼り付けが行える。
【００２８】
また、図７にその一部を示すように塩タイル壁の周辺部等で六角形の塩タイル６…間に半割塩タイル６′を組み込んで使用する際には、そ半割塩タイル６′を保持する塩タイル保持具４０を使用するとよい。
【００２９】
尚、リラクゼーションルーム１のルーム本体Ａとルーム外殻体Ｂの間には伝熱空間１７が形成され、この伝熱空間１７に臨むルーム外殻体Ｂの前後左右側壁ｂ１…及び天井材ｂ２の夫々内側、ならびにルーム本体Ａの床塩タイル壁構造体ａ１の下面側には夫々断熱材１８が配設されており、そして前後左右側壁ｂ１…側に配設された断熱材１８の下部側から床塩タイル壁構造体ａ１側に設けられた断熱材１８の上面側にわたる領域にパネルヒーター１９が配設されている。図示は省略するが、このリラクゼーションルーム１の所要箇所には音響設備が設置されている。
【００３０】
このリラクゼーションルーム１においては、ルーム本体Ａが床塩タイル壁構造体ａ１と天井塩タイル壁構造体ａ２と側壁塩タイル壁構造体ａ３…とで構成されることから、発光素子７を様々なパターン及び色合い（３原色の混合による）で発光させることによって、その発光が乳白色半透明の塩タイル６を通してルーム内部から淡い映像として視認され、入室者を視覚面からリラックスさせる効果かがある。この場合、塩タイル保持具２０は、透明なプラスチックで形成されているから、発光素子７からの光をそのまま通すことができる。また、前記伝熱空間１７内のパネルヒーター１９を駆動した際、伝熱空間１７内の空気を介してルーム本体Ａに伝わる熱が塩タイル６及び目地部９を通して遠赤外線としてルーム内に放射され、入室者に心地よい温熱効果を与える。しかして、このリラクゼーションルーム１では、温熱効果と映像効果に加え、音響設備の稼動による音響効果を組み合わせることによって、非常に高いリラクゼーション作用が得られる上に、ルーム本体Ａの内壁面全体が塩のみで構成されているため、ルーム内は細菌、ウイルス等が繁殖するおそれのない完全な清潔空間となる。
【図面の簡単な説明】
【００３１】
【図１】本発明に係る塩タイル保持具が使用されるリラクゼーションルームの縦断面図である。
【図２】床塩タイル壁構造体を示す拡大縦断面図である。
【図３】床塩タイル壁構造体の塩タイル壁を示す一部拡大平面図である。
【図４】図３のＸ−Ｘ線拡大断面図である。
【図５】(a) は六角形塩タイルの斜視図、(b) は塩タイル保持具の斜視図、(c) は塩タイル保持具が塩タイルを保持した状態の斜視図である。
【図６】塩タイル及び塩タイル保持具の拡大断面図である。
【図７】図２のＹ−Ｙ線拡大断面図である。
【図８】(a) 六角形塩タイルを真半分に切断したような台形厚板状塩タイルの斜視図、(b) は同塩タイルを保持する塩タイル保持具の斜視図、同塩タイル保持具が塩タイルを保持した状態の斜視図である。
【符号の説明】
【００３２】
１            リラクゼーションルーム
５            タイル基板
６，６′      塩タイル
２０          塩タイル保持具
２１          本体板部
２２          係止爪
４０          塩タイル保持具
４１          本体板部
４２          係止爪
【図１】
2010007383.tif 000003
【図２】
2010007383.tif 000004
【図３】
2010007383.tif 000005
【図４】
2010007383.tif 000006
【図５】
2010007383.tif 000007
【図６】
2010007383.tif 000008
【図７】
2010007383.tif 000009
【図８】
2010007383.tif 000010